(57)【要約】【課題】特典の良し悪しが個々の遊技者の技量に係わるようにし遊技者を奮起させるとともに、特典の決定に透明性が得られ不信感が生じないようにすることで遊技者に大いに興味を与えられるパチンコ遊技機を提供する。【解決手段】遊技球が始動口５に入球することにより図柄変動表示器２の表示図柄が変動し、予め定められた所定図柄にて停止すると大当たりが発生し多数の遊技球を獲得できるようにするとともに、所定条件を満たした場合に遊技者にとって有利な特典がその大当たり状態終了後に与えられるようにした遊技機において、前記特典の大きさは大当たり状態終了時に記憶されている変動保留数に従って決定する。【選択図】　図３
2004033435.tif 000002
【特許請求の範囲】
【請求項１】
遊技球が始動口に入球することにより図柄変動表示器の表示図柄が変動し、予め定められた所定図柄にて停止すると大当たりが発生し多数の遊技球を獲得できるようにするとともに、所定条件を満たした場合に遊技者にとって有利な特典がその大当たり状態終了後に与えられるようにした遊技機において、前記特典の大きさは大当たり状態終了時に記憶されている変動保留数に従って決定することを特徴としたパチンコ遊技機。
【請求項２】
特典は大当たり発生の確率を高確率とするものである請求項１に記載のパチンコ遊技機。
【請求項３】
特典は可変式の始動口の開放時間を延長するものである請求項１または２に記載のパチンコ遊技機。
【請求項４】
特典は大当たり発生の確率を高確率として表示図柄を変動させる回数をその大当たり状態終了時に記憶されている変動保留数に従って設定するものである請求項１〜３に記載のパチンコ遊技機。
【発明の詳細な説明】
【０００１】
【発明の属する技術分野】
本発明は、遊技球が始動口に入球することにより液晶表示器等の図柄変動表示器に図柄が変動表示され、偶然性をもって所定の確率で所定図柄にて停止すると大当たりが発生し多数の遊技球を獲得できるようにしたパチンコ遊技機に関するものである。
【０００２】
【従来の技術】
いわゆる第１種パチンコ遊技機は、周知のように、遊技盤面にカラー液晶表示器，ＣＲＴ等の図柄変動表示器が設けられ、遊技者の打った打球が可変式（チューリップ型）の始動口に入ると、該図柄変動表示器に１〜８の数字および☆◆◎等の記号またはキャラクター等の図柄が夫々上下または左右に流れる如くに複数列（通常は３列）にて変動表示され、その表示の変動は数秒後に順に停止し、その停止図柄が所定の確率（１／３００程度）で偶然性をもって例えば「２２２」，「７７７」，「☆☆☆」のように予め定められた所定図柄となった場合に大当たり状態となって、可変入賞装置（大入賞口）の開閉扉がソレノイドの作動により開成状態となり、その開成状態の可変入賞装置に打球が所定個数（通常は１０個）入球するか、または開成状態で所定制限時間（通常は３０秒）が経過すると、いわゆる第１ラウンドが終わって該可変入賞装置は一旦は閉じるが、この第１ラウンド中に該可変入賞装置内に設けられている継続入賞口（Ｖゾーンと称される）に打球が入球していた場合には第２ラウンドが始まってすぐにまた該可変入賞装置が開かれ、開成状態となった可変入賞装置にまた打球が所定個数（通常は１０個）入球するか、または開成状態で所定制限時間（通常は３０秒）が経過すると、第２ラウンドが終わって該可変入賞装置はまた閉じるが、その第２ラウンド中にまた継続入賞口に打球が入球していた場合には第３ラウンドが始まりすぐにまた該可変入賞装置が開かれ、こうして各ラウンド中に継続入賞口に打球が入賞したことを条件として最終ラウンド（例えば第１６ラウンド）になるまで該可変入賞装置が継続的に開かれ、このような大当たり状態であるときに多数の景品球を取得できることから遊技者に多くの利益がもたらされるように構成したものである。
【０００３】
また、この種の遊技機では、「３３３」「５５５」「７７７」等の奇数図柄（以下、「特定図柄」という）で大当たりした場合に、その大当たり状態の終了後における次回からの大当たり発生の確率を例えば通常の１／３００から１／６０に上昇させ（業界では「確変」と称している）たり、前記チューリップ型の始動口の開成時間を通常の０．５秒間から２秒間に延長（業界では「時短」と称している）して始動条件が成立し易くする等の特典が与えられるようにし、大当たり状態が終了した後も遊技者にとって有利な状況（以下、「特典」という）が続くようにしたものが知られている。
【０００４】
【発明が解決しようとする課題】
しかしながら従来の遊技機は、上記特典内容について遊技者の技量の良し悪しが関係することは全くなく、専ら機械任せ、運任せで決定されてしまうものであったので、遊技者を遊技に飽きさせる原因になるとともに、その決定に不信感が持たれるおそれがあった。
そこで本発明は、上記特典の良し悪しが個々の遊技者の技量に係わるようにし遊技者を奮起させるとともに、決定に透明性が得られ不信感が生じないようにすることで、遊技者に大いに興味を与えられる遊技機を提供しようとするものである。
【０００５】
【課題を解決するための手段】
そのために本発明は、遊技球が始動口に入球することにより図柄変動表示器の表示図柄が変動し、予め定められた所定図柄にて停止すると大当たりが発生し多数の遊技球を獲得できるようにするとともに、所定条件を満たした場合に遊技者にとって有利な特典がその大当たり状態終了後に与えられるようにした遊技機において、前記特典の大きさは大当たり状態終了時に記憶されている変動保留数に従って決定することを特徴とする。
また本発明は上記遊技機において、特典は大当たり発生の確率を高確率とするものであることを特徴とする。
また本発明は上記遊技機において、特典はチューリップ型の始動口の開放時間を延長するものであることを特徴とする。
また本発明は上記遊技機において、特典は大当たり発生の確率を高確率として表示図柄を変動させる回数をその大当たり状態終了時に記憶されている変動保留数に従って設定するものであることを特徴とする。
【０００６】
【発明の実施の形態】
次に本発明の実施形態をパチンコ遊技機について図面に従い説明する。図１はパチンコ遊技機の正面を示す。このパチンコ遊技機では、遊技盤１にカラー液晶表示器からなる図柄変動表示器２が設けられ、３は普通入賞口、４は通過ゲート、５はソレノイドにより一対の羽根６が開閉動し得るように設けられた可変式（チューリップ型）の始動口である。７は該始動口５の下方に設けられた大きな長方形状の大入賞口からなる可変入賞装置で、該可変入賞装置にはソレノイドの作動により開閉動する開閉扉８が設けられ、該可変入賞装置内には継続入賞口９が設けられている。また、１０はセグメント表示器からなる変動保留数表示装置で、該表示装置には図柄変動表示器２が変動表示中に始動口５に打球が入賞した場合にその個数が変動保留数記憶手段に記憶され、該記憶手段に記憶された変動保留数が表示される。１１は遊技盤の上部両側に設けられた一対の装飾ランプ（ガラス枠ランプ）、１２は遊技盤のレール内側に沿って設けられた一対の装飾ランプ（サイドランプ）である。
【０００７】
また、１３は発射球供給皿、１４は下皿、１５は打球発射用ハンドルで、該打球発射用ハンドルには電磁式振動装置が内蔵されている。また、１７は発射球供給皿１３の一部に設けられたスピーカである。
【０００８】
図２はＣＰＵ，ＲＯＭ，ＲＡＭ，Ｉ／Ｏからなる遊技制御基板２０に接続される本発明に関連する入出力機器を示したブロック図で、２１は前記始動口５に入賞した打球を検出する始動スイッチ、２２は前記可変入賞装置７への入賞球を計数する大入賞口スイッチ、２３は前記継続入賞口９への入賞球を検出する継続スイッチである。該遊技制御基板２０にはさらに可変入賞装置７のソレノイド２４と、前記普通入賞口３に入賞した打球を検出するスイッチ２５，２６が接続されているほか、前記図柄変動表示器２および変動保留数表示装置１０を制御する図柄制御基板２７、前記スピーカ１７および前記ハンドル１５中の電磁式振動装置１６を駆動する音声制御基板２８、前記装飾ランプ１１，１２を制御するランプ制御基板２９が夫々接続されている。
【０００９】
次に図３のフローチャートに従い本発明の特徴とするところを説明する。なおこの実施形態は上記変動保留数記憶手段に記憶される変動保留数を最大５０（変動保留数表示装置１０の表示個数が最大５０）に設定した場合の例である。ステップａにて始動スイッチ２１により始動口５への遊技球の入賞が検知され始動条件が成立すると、ステップｂにて上記変動保留数記憶手段に記憶された変動保留数が５０未満であるかどうかが問われ、５０未満の場合はステップｃにて上記変動保留数記憶手段に記憶された変動保留数が＋１され、ステップｄにて変動保留数表示装置１０の表示個数が更新される。
【００１０】
そして変動保留数が１以上である場合はステップｅからステップｆに移行し図柄変動表示器２の表示図柄を変動させ、ステップｇにて変動保留数が−１され、ステップｈでは後述する特典付与回数がゼロでないかどうかが問われ、ゼロでなければステップｉにて大当たりの発生確率を高確率（例えば１／６０）に設定して抽選し、ゼロであればステップｊにて大当たりの発生確率を通常確率（例えば１／３００）に設定して抽選する。そしてステップｋにて図柄変動を停止させステップｍにてその停止図柄が「２２２」「３３３」等の所定図柄であるかどうかの判別がされ、所定図柄であった場合は大当たりとなってステップｎに移行し可変入賞装置７の開閉扉８が継続的に開かれ、多数の景品球を取得できる大当たり状態にする。
【００１１】
そして、上記大当たり状態が終了すると、上記ステップｌにおける停止図柄が「３３３」「５５５」「７７７」等の奇数図柄、即ち特定図柄であったかどうかが判別され特定図柄であった場合はステップｐにて特典付与回数として上記変動保留数記憶手段に記憶される変動保留数をセットする。また特定図柄でなかった場合はステップｑにて特典付与回数をゼロにセットする。そしてこの特典付与回数の有無が上記ステップｈにて判別される。
【００１２】
このように構成したパチンコ遊技機は、特典である大当たり発生の確率を高確率とする回数がその大当たり状態終了時に記憶されている変動保留数に従って設定されることから、遊技者は大当たり状態が終了するまでにできるだけ多くの遊技球を始動口５に入賞させようとする。このため、遊技者の技量が特典の良し悪しに反映され、高得点を得ようと遊技者を奮起させることができる。ちなみに、図４はこの遊技機における始動口への入賞と大当たり発生確率の変動を示したタイムチャートである。なお、図３の実施形態に示したフローチャートでは大当たり状態となる前から変動保留数記憶手段に記憶されている変動保留数に大当たり状態中に記憶された変動保留数が加算されて特典付与回数としてセットされるようにしたが、大当たり状態中に記憶された変動保留数だけが特典付与回数としてセットされるようにすることもできる。
【００１３】
また、遊技者に付与し得る特典は、上記のように大当たり発生の確率を高確率とすることの他、チューリップ型の始動口の開放時間を通常の０．５秒間から２秒間に延長して始動条件が成立し易くするようにしてもよい。また、この実施形態では大当たり発生の確率を高確率として表示図柄を変動させる回数がその大当たり状態終了時に記憶されている変動保留数に従って設定されるようにしたが、特典内容としてはこれに限ることなく、例えば大当たり状態終了時に記憶されている変動保留数に比例して大当たり発生確率がより高確率となるように設定したり、大当たり状態終了後に図柄変動が例えば１０回行われる間に必ず１回はスーパーリーチ（通常のリーチ態様と比べて図柄表示が拡大されたりキャラクタが表示されたり、或いはランプが点滅したりすることで期待度がより高められること）が出現するようにし、大当たり発生確率を上昇させるようにすることもできる。このように遊技者にとって有利となる特典には種々の形態があり得る。
【００１４】
【発明の効果】
このように本発明は、遊技球が始動口に入球することにより図柄変動表示器の表示図柄が変動し、予め定められた所定図柄にて停止すると大当たりが発生し多数の遊技球を獲得できるようにするとともに、所定条件を満たした場合に遊技者にとって有利な特典がその大当たり状態終了後に与えられるようにした遊技機において、前記特典の大きさは大当たり状態終了時に記憶されている変動保留数に従って決定されるようにしたので、遊技者は大当たり状態が終了するまでにできるだけ多くの遊技球を始動口に入賞させようとし、個々の遊技者の技量が特典の良し悪しに反映されることから遊技者を奮起させることができるとともに、特典の良し悪しの決定に透明性が得られ不信感が生じないことと相俟ってパチンコ遊技の興趣を増大させる顕著な効果がある。
【図面の簡単な説明】
【図１】本発明の実施形態を示すパチンコ遊技機の遊技盤の正面図。
【図２】本発明の実施形態を示すパチンコ遊技機のブロック図。
【図３】本発明の実施形態を示すパチンコ遊技機のフローチャート。
【図４】本発明の実施形態を示すパチンコ遊技機のタイムチャート。
【符号の説明】
１　　　　　遊技盤
２　　　　　図柄変動表示器
５　　　　　始動口
７　　　　　可変入賞装置
【図１】
2004033435.tif 000003
【図２】
2004033435.tif 000004
【図３】
2004033435.tif 000005
【図４】
2004033435.tif 000006